(57)【要約】【課題】  テキスト情報の特定語句とイメージ情報の特定箇所とを符号により対応付けた複数の電子化文書を、コンピュータの画面上で理解し易い形に連続的に編集するプログラムと、その販売方法を提供すること。【解決手段】  イメージ情報中の符号を読み取ってテキスト情報中の符号と関連付け、テキスト情報中の符号を指定するとイメージ情報中の該当符号が強調表示されるようにし、編集済み電子化文書を保存すると同時に次の未編集電子化文書の編集を自動的に開始するようにした。【選択図】図６
2006031660.tif 000002
【特許請求の範囲】
【請求項１】
複数の特定語句（４）を有するテキスト情報（２）と複数の特定箇所（５）を有するイメージ情報（３ａ，３ｂ，３ｃ）とを備え、テキスト情報中の特定語句とイメージ情報中の特定箇所とを共通の符号（６）により対応付けてある電子化文書（１）を編集の対象とするプログラム（７）であって、
前記イメージ情報中に存在する符号およびその符号の位置情報を読み取る符号読取手段（８）と、この符号読取手段の読み取り結果と前記テキスト情報中に存在する符号とを符号が共通なもの同士関連付ける関連付け手段（９）と、コンピュータの画面上で前記テキスト情報中の任意の符号が指定されたとき前記関連付け手段の関連付け結果に基いてイメージ情報中の該当符号を強調表示させる強調表示手段（１０）とを有し、
編集すべき複数の電子化文書を順次取り込み、かつ、各電子化文書の編集後の出力先を予め指定して編集の開始を指示すると、取り込まれた複数の電子化文書のうちの一つに対して、符号読取手段、関連付け手段および強制表示手段により編集を行なった後、指定された出力先に編集済み電子化文書として保存すると共に、未編集の電子化文書があるときはそれに対する編集を連続的に開始して、複数の電子化文書を連続編集することを特徴とする電子化文書編集プログラム。
【請求項２】
前記符号読取手段による不完全な読み取り結果をマニュアル操作により修正してその修正結果を前記関連付け手段に反映させる手動関連付け手段（１４）を有することを特徴とする請求項１に記載の電子化文書編集プログラム。
【請求項３】
複数の特定語句（４）を有するテキスト情報（２）と複数の特定箇所（５）を有するイメージ情報（３ａ，３ｂ，３ｃ）とを備えた電子化文書（１）を編集の対象とする電子化文書編集プログラムの販売方法であって、
前記電子化文書は、テキスト情報中の特定語句とイメージ情報中の特定箇所とを共通の符号（６）により対応付けてあるものとし、
前記編集プログラムは、前記イメージ情報中に存在する符号および各符号の位置情報を読み取る符号読取手段（８）と、この符号読取手段の読み取り結果と前記テキスト情報中に存在する符号とを符号が共通なもの同士関連付ける関連付け手段（９）と、コンピュータの画面上で前記テキスト情報中の任意の符号が指定されたとき前記関連付け手段の関連付け結果に基いてイメージ情報中の該当符号を強調表示させる強調表示手段（１０）とを有し、編集すべき複数の電子化文書を順次取り込み、かつ、各電子化文書の編集後の出力先を予め指定して編集の開始を指示すると、取り込まれた複数の電子化文書のうちの一つに対して、符号読取手段、関連付け手段および強制表示手段により編集を行なった後、指定された出力先に編集済み電子化文書として保存すると共に、未編集の電子化文書があるときはそれに対する編集を連続的に開始して、複数の電子化文書を連続編集するものとし、
コンピュータの画面上で前記編集プログラムの売買契約および該編集プログラムの受け渡しを行うことを特徴とする電子化文書編集プログラムの販売方法。
【請求項４】
前記編集プログラムの販売に加えて、依頼者より指定された電子化文書を該編集プログラムを用いて編集する編集サービスも提供することを特徴とする請求項３に記載の電子化文書編集プログラム。
【請求項５】
前記編集プログラムの販売に加えて、該編集プログラムを用いて編集された電子化文書をコンピュータの画面上で販売することを特徴とする請求項３に記載の電子化文書編集プログラム。
【発明の詳細な説明】
【技術分野】
【０００１】  本発明は、互いに補完し合うテキスト情報とイメージ情報とを備えた電子化文書をコンピュータの画面上で理解し易い形に編集する電子化文書編集プログラムと、その販売方法に関する。
【背景技術】
【０００２】  例えば図面や写真を用いて技術内容を説明する技術文書を電子化文書として作成する場合、説明文はテキスト情報、図面や写真はイメージ情報として作成することが多い。そしてコンピュータの画面を２つの領域に分けて一方の領域に説明文、他方に図面や写真を表示させると、図面や写真を参照しながら説明文を読むことができる。【０００３】  また図面や写真が複雑な場合には、説明文中の各部が図面や写真の中のどの箇所について説明しているのか、図面や写真中の該当箇所を探し易くするために、多くの場合、説明文中の各部と図面や写真中の該当箇所とに共通の符号を付して相互を対応付け、記載内容を容易に理解できるようにしている。【０００４】  しかしながら、図面や写真があまりに複雑であったり、図面や写真中に多くの符号が過密に記載されていると、コンピュータの画面上で説明文を読みながら図面や写真の中から該当する符号を探し出すこと自体困難であり、せっかく付した符号が、説明文と図面や写真とを対応付ける機能を果たせない。【０００５】  特許に関する電子化文書がその良い例である。例えば特許庁のホームページで公開されている特許情報は、テキスト情報である明細書とイメージ情報である図面とをコンピュータの画面上に同時に表示させ、図面を参照しながら明細書を読めるようにしているが、機械装置のような複雑な構造を示す図面では符号も多くなるので、明細書に出てくる符号を図面中の多くの符号の中から探し出すのが困難である。しかも、たくさんの図面があると、該当する符号がどの図面にあるかも分らないので、該当符号を図面の中から探すのは一層困難になる。【０００６】  特開２００３−１８６８７０号公報には、文章データ中に記載された図面番号上でマウスをクリックすると、該当図面が表示されるようにしたプログラムが開示されている（第２４欄第３４行目〜第２５欄第９行目）。また、文章データにおいて符号を含む文字列上でマウスをクリックすると、図面中の該当符号がウィンドウの中心に位置するように図面が表示されたり（第２９欄第４７〜４９行目）、該当符号が強調表示されること（第２９欄第４４〜４６行目）についても開示されている。【０００７】  しかしながら、ここに示された従来技術では、テキスト情報の中から、符号を含む文字列を認識して（第１３欄第３２〜４１行目）イメージ情報中の符号と関連付けるようにしているので、文字列認識に時間がかかる。しかも、複数の文書について編集を行なう場合には、同じ操作を何度も繰り返さねばならないので、不特定多数の電子化情報について、このような編集を、短時間で行うことは極めて困難であった。
【発明の開示】
【発明が解決しようとする課題】
【０００８】  本発明は、このような問題を解決するためになされたもので、その目的は、テキスト情報とイメージ情報とを備え、テキスト情報中の特定語句とイメージ情報中の特定箇所とを共通の符号で対応付けてある複数の電子化情報を、迅速に、コンピュータの画面上で理解し易い形に編集可能な編集プログラムを提供することにある。また、このような編集プログラムを販売する方法を提供することにある。
【課題を解決するための手段】
【０００９】  本発明は、複数の特定語句を有するテキスト情報と複数の特定箇所を有するイメージ情報とを備え、テキスト情報中の特定語句とイメージ情報中の特定箇所とを共通の符号により対応付けてある電子化文書を編集の対象とするプログラムであって、前記イメージ情報中に存在する符号およびその符号の位置情報を読み取る符号読取手段と、この符号読取手段の読み取り結果と前記テキスト情報中に存在する符号とを符号が共通なもの同士関連付ける関連付け手段と、コンピュータの画面上で前記テキスト情報中の任意の符号が指定されたとき前記関連付け手段の関連付け結果に基いてイメージ情報中の該当符号を強調表示させる強調表示手段とを有する。【００１０】  そして、編集すべき複数の電子化文書を順次取り込み、かつ、各電子化文書の編集後の出力先を予め指定して編集の開始を指示すると、取り込まれた複数の電子化文書のうちの一つに対して、符号読取手段、関連付け手段および強制表示手段により編集を行なった後、指定された出力先に編集済み電子化文書として保存すると共に、未編集の電子化文書があるときはそれに対する編集を連続的に開始して、複数の電子化文書を連続編集することを特徴とするものである。【００１１】  また、本発明は、前記編集プログラムに、前記符号読取手段による不完全な読み取り結果をマニュアル操作により修正してその修正結果を前記関連付け手段に反映させる手動関連付け手段を付加したことを特徴とするものである。【００１２】  また、本発明は、前記編集プログラムの販売方法であって、コンピュータの画面上で前記編集プログラムの売買契約および該編集プログラムの受け渡しを行うことを特徴とするものである。【００１３】  また、本発明は、前記編集プログラムの販売に加えて、依頼者より指定された電子化文書を該編集プログラムを用いて編集する編集サービスも提供することを特徴とするものである。【００１４】  また、本発明は、前記編集プログラムの販売に、該編集プログラムを用いて編集された電子化文書をコンピュータの画面上で販売することをも付加したものである。
【発明の効果】
【００１５】  本発明の編集プログラムによれば、テキスト情報中の任意の符号が指定されたときイメージ情報中の該当符号が強調表示されるようにしてあるので、イメージ情報中に多数の符号が付されていたり、多数のイメージ情報が存在する場合でも、画面上で符号を探す手間が省け、専ら記載内容の理解に集中することができる。また、編集を行なう過程では、イメージ情報中の符号を読み出し、それらとテキスト情報中の符号とを関連付けるだけであり、従来技術のように、テキスト情報中の文字列を認識する必要もないので、比較的短時間で編集が行なえる。【００１６】  しかも、一つの電子化文書に対する編集が終了して、編集済み電子化文書が予め指定された出力先に保存されると、自動的に次の電子化文書の編集が開始されるので、多数の電子化文書も迅速に連続編集することができる。【００１７】  また、本発明の編集プログラムによれば、手動関連付け手段により、イメージ情報中の符号の不完全な読み取り結果をマニュアル操作により修正し、編集の精度を高めることができる。【００１８】  また、本発明に係る編集プログラムの販売方法によれば、コンピュータの画面上でプログラムの売買契約および受け渡しを行なうことにより、迅速かつ経済的な販売を行うことができる。【００１９】  また、本発明に係る編集プログラムの販売方法によれば、編集プログラムの販売に加えて、この編集プログラムを用いて電子化文書の編集をもおこなうことにより、編集プログラムの販売を促進する効果が得られる。【００２０】  また、本発明に係る編集プログラムの販売方法によれば、編集プログラムの販売と共に、編集済み電子化文書の販売も行うことにより、電子化文書の付加価値を高めることができる。
【発明を実施するための最良の形態】
【００２１】  本発明を実施するための最良の形態を、図面を参照して説明する。
図１は電子化文書１と編集プログラム７との関係を示す概念図であって、電子化文書１は、互いに補完し合うテキスト情報２と複数（図１の例では３つ）のイメージ情報３ａ、３ｂ、３ｃとを備えている。電子化文書１を、例えば電子化された特許公報とすると、テキスト情報２は明細書および特許請求の範囲に相当し、イメージ情報３ａ、３ｂ、３ｃは図面の図１、図２、図３に相当する。図２に示すように、電子化文書１のテキスト情報２中で特定されている複数の特定語句４およびイメージ情報３ａ、３ｂ、３ｃ中で特定されている複数の特定箇所５には、相互を対応付けるための符号６が付されている。なお、テキスト情報２の使用言語は何語でもよい。図２中「○○○」、「×××」、「△△△」は、テキスト情報２が日本語であれば漢字、ひらがな、カタカナ等であり、英語であればアルファベット等である。【００２２】  編集プログラム７は、図１の如く、符号読取手段８、関連付け手段９、および強調表示手段１０を有する。【００２３】  符号読取手段８は、図３の如く、ＯＣＲ認識により、イメージ情報３ａ、３ｂ、３ｃ中に存在する複数種類（Ａ、Ｂ、Ｃ等）の符号６と、各符号６の位置情報とを符号情報として取込んでイメージ情報符号テーブル１１を作成する。
関連付け手段９は、符号読取手段８より出力された符号情報と、テキスト情報２中の符号６とを、符号が共通なもの同士関連付ける（図１）。【００２４】  強調表示手段１０は、関連付け手段９の関連付け結果に基いてブラウザで閲覧可能なＨＴＭＬファイル群１２を作成し、図４の如く、テキスト情報２中のいずれかの符号６（例えばＢ）が指定されたとき、イメージ情報符号テーブル１１の中からＢなる符号６が存在するイメージ情報３ｂを選択してコンピュータの画面上に表示する。なお、図４は編集プログラム７で編集された電子化文書１の表示画面を示すもので、テキスト情報２とイメージ情報３が左右に表示され、画面の右端には図面番号リスト１３が表示される。なお、表示切換えにより、図５のようにイメージ情報３とテキスト情報２を上下に表示させることもできる。なお、図４および図５中の１７はマウスポインタを示している。【００２５】  そこで、Ｂなる符号６が複数のイメージ情報３ｂ、３ｃ（例えば図２と図３）中に存在するときは、最初に、至近位置にあるイメージ情報３ｂ（例えば図２）が画面上に表示される。同時に、イメージ情報３ｂ中のＢなる符号６が記載されている位置をイメージ情報符号テーブル１１から検索し、その位置に存在するＢなる符号６を○で囲むなどの方法により、コンピュータの画面上で強調表示する。Ｂなる符号が存在する別のイメージ情報３ｃ（例えば図３）を見たいときは、図面番号リスト１３中の該当図面番号をクリックすると、イメージ情報３ｃが画面上に切替表示され、そのイメージ情報３ｃ中のＢなる符号６が強調表示される。【００２６】  なお、強調表示手段１０は、テキスト情報２中の符号６が指定されたとき、指定されたテキスト情報２中の符号６とイメージ情報３ｂ、３ｃ中の符号６とを同時に強調表示するようにしてもよい。
符号６を強調表示する方法としては、○で囲む方法に限らず、点滅させたり、他と異なる色で表示したり、反転表示したり、拡大表示する等、視角に訴えて目立たせることができれば、どのような方法であってもよい。【００２７】  テキスト情報２中の任意の符号６を指定する方法としては、マウスポインタを符号上に置くだけでも良いし、マウスポインタを符号上に置いてクリックするようにしても良い。【００２８】  また、編集プログラム７には、編集実行手段１４が設けられている。編集実行手段１４は、図６の如く、予め保存されている電子化文書７の中から１または複数の文書を指定して取込むと共に、各電子化文書７の編集後の出力先を指定すると、所定の編集作業が開始される。すなわち、符号読取手段８が電子化文書７中のイメージ情報から符号情報を取り込んでイメージ情報符号テーブルを作成し、続いて関連付け手段９が符号読取手段８より出力された符号情報とテキスト情報２中の符号６とを、符号が共通なもの同士関連付ける。編集済みの電子化文書７は、予め指定された出力先に保存される。このとき、未編集の電子化文書７があれば、次の電子化文書７に対する編集が自動的に開始される。【００２９】  編集済みの電子化文書７は、指定した出力先に保存されているので、いつでも出力先から取り出してコンピュータの画面上で見ることができる。
なお、編集プログラム７の符号読取手段８は、ＯＣＲ認識により、イメージ情報３ａ、３ｂ、３ｃ中の符号６とその位置情報を認識するのであるが、イメージ情報３ａ、３ｂ、３ｃ中の符号６が不鮮明であったり、符号ｂが図面の線に接触している場合など、読み取れなかったり、誤って読み取ってしまうこともあり、常に高精度の編集結果が得られるとは限らない。【００３０】  そこで編集プログラム７は、さらにＨＴＭＬファイル群読込手段１５および手動関連付け手段１６を備えている。
ＨＴＭＬファイル群読込み手段１５は、強調表示手段１０で作成されたＨＴＭＬファイル群１２を読込んで、手動関連付け手段１６へ出力する。手動関連付け手段１６では、操作者がコンピュータの画面を見ながら、符号読取り手段８で読み取れなかった、あるいは誤って読み取ってしまったイメージ情報３ａ、３ｂ、３ｃ中の符号６を目視によって読取り、マニュアル操作によってテキスト情報２中の符号６との関連付けを正しく行なって、その修正結果を関係付け手段９に反映させる。【００３１】  このように、符号読取り手段８による不完全な読取結果を手動関連付け手段１６でマニュアル操作により修正することにより、編集の精度を高めることができる。【００３２】  以上の如く構成された編集プログラム７は、ネット販売可能な状態に置かれる。
編集プログラム７は、第８図に示す如く、ウエブサイト（ＵＲＬ）上で紹介される。ウエブサイトには編集プログラムに関する「製品紹介」、「ダウンロード」、「サポート」、「ユーザー登録」、「よくある質問」等のメニューが表示される。【００３３】  「製品紹介」を選択すると、編集プログラム７のトップページを始め、図４、図５に示す表示画面の紹介等、編集プログラム７の概要が紹介される。【００３４】  「ダウンロード」を選択すると、編集プログラム７をダウンロードする手順が紹介され、ダウンロードした編集プログラム７を用いて、一定回数または一定期間、任意の電子化文書に対する編集を無料で実地体験することができる。一定回数または一定期間、実地に体験しながら、購入を希望する者は画面上で売買契約を締結し、所定の料金を払った後、購入キー（暗証番号）を受け取り、そのキーを使って編集プログラムを取得することができる。【００３５】  なお、編集プログラム７の販売に加えて、電子化文書の編集サービスを受注することもできる。即ち、依頼者より指定された電子化文書１を、編集プログラム７を用いて符号読取手段８による不完全な読み取り結果を修正し、高精度名編集を行なって依頼者に納入するとよい。【００３６】  また、編集プログラム７の販売に加えて、編集プログラムを用いて編集された電子化文書をコンピュータの画面上で販売することも可能である。例えば、多くの編集プログラムの購入者から編集済みの電子化文書を譲り受けてデータベース化し、それを再び商品としてネット販売することができる。
【産業上の利用可能性】
【００３７】  本発明の編集プログラムは、テキスト情報中の任意の符号が指定されたときイメージ情報中の該当符号が強調表示されるようにしてあるので、イメージ情報中に多数の符号が付されていたり、多数のイメージ情報が存在する場合でも、画面上で符号を探す手間が省け、専ら記載内容の理解に集中することができる。また、編集を行なう過程では、イメージ情報中の符号を読み出し、それらとテキスト情報中の符号とを関連付けるだけであり、従来技術のように、テキスト情報中の文字列を認識する必要もないので、比較的短時間で編集が行なえる。【００３８】  しかも、一つの電子化文書に対する編集が終了して、編集済み電子化文書が予め指定された出力先に保存されると、自動的に次の電子化文書の編集が開始されるので、多数の電子化文書も迅速に連続編集することができる。
従って、特許情報の編集に限らず、取り扱い説明書、技術文書、研究発表資料、学習テキスト等の編集に利用できる。によれば、また、本発明の編集プログラムによれば、手動関連付け手段により、イメージ情報中の符号の不完全な読み取り結果をマニュアル操作により修正し、編集の精度を高めることができる。【００３９】  また、本発明に係る編集プログラムの販売方法によれば、コンピュータの画面上でプログラムの売買契約および受け渡しを行なうことにより、迅速かつ経済的な販売を行うことができる。【００４０】  また、本発明に係る編集プログラムの販売方法によれば、編集プログラムの販売に加えて、この編集プログラムを用いて電子化文書の編集をもおこなうことにより、編集プログラムの販売を促進する効果が得られる。【００４１】  また、本発明に係る編集プログラムの販売方法によれば、編集プログラムの販売と共に、編集済み電子化文書の販売も行うことにより、電子化文書の付加価値を高めることができる。
【図面の簡単な説明】
【００４２】
【図１】電子化文書と編集プログラムとの関係を示す概念図である。
【図２】電子化文書の概念図である。
【図３】編集プログラムの符号読取手段を示す概念図である。
【図４】編集された電子化文書の表示画面を示す概略図である。
【図５】編集された電子化文書の表示画面を示す概略図である。
【図６】編集プログラムによる編集作業工程を示す流れ図である。
【図７】ウェブサイトの表示画面を示す概略図である。
【符号の説明】
【００４３】１    電子化文書
２    テキスト情報
３ａ、３ｂ、３ｃ  イメージ情報
４    特定語句
５    特定箇所
６    符号
７    編集プログラム
８    符号読取手段
９    関連付け手段
１０  強調表示手段
１６  手動関連付け手段
【図１】
2006031660.tif 000003
【図２】
2006031660.tif 000004
【図３】
2006031660.tif 000005
【図４】
2006031660.tif 000006
【図５】
2006031660.tif 000007
【図６】
2006031660.tif 000008
【図７】
2006031660.tif 000009
【手続補正書】
【提出日】平成17年8月8日(2005.8.8)
【手続補正１】
【補正対象書類名】特許請求の範囲
【補正対象項目名】請求項２
【補正方法】変更
【補正の内容】
【請求項２】
前記符号読取手段による不完全な読み取り結果をマニュアル操作により修正してその修正結果を前記関連付け手段に反映させる手動関連付け手段（１６）を有することを特徴とする請求項１に記載の電子化文書編集プログラム。
【手続補正２】
【補正対象書類名】特許請求の範囲
【補正対象項目名】請求項４
【補正方法】変更
【補正の内容】
【請求項４】
前記編集プログラムの販売に加えて、依頼者より指定された電子化文書を該編集プログラムを用いて編集する編集サービスも提供することを特徴とする請求項３に記載の電子化文書編集プログラムの販売方法。
【手続補正３】
【補正対象書類名】特許請求の範囲
【補正対象項目名】請求項５
【補正方法】変更
【補正の内容】
【請求項５】
前記編集プログラムの販売に加えて、該編集プログラムを用いて編集された電子化文書をコンピュータの画面上で販売することを特徴とする請求項３に記載の電子化文書編集プログラムの販売方法。
【手続補正４】
【補正対象書類名】明細書
【補正対象項目名】０００７
【補正方法】変更
【補正の内容】
【０００７】
しかしながら、ここに示された従来技術では、テキスト情報の中から、符号を含む文字列を認識して（第１３欄第３２〜４１行目）イメージ情報中の符号と関連付けるようにしているので、文字列認識に時間がかかる。しかも複数の文書について編集を行う場合には、同じ操作を何度も繰り返さねばならないので、不特定多数の電子化情報について、このような編集を、短時間で行うことは極めて困難であった。
【特許文献１】特開２００３−１８６８７０
【手続補正５】
【補正対象書類名】明細書
【補正対象項目名】００１９
【補正方法】変更
【補正の内容】
【００１９】
また、本発明に係る編集プログラムの販売方法によれば、編集プログラムの販売に加えて、この編集プログラムを用いて電子化文書の編集を行う編集サービスをも提供することにより、ビジネスを多面的に展開できる効果が得られる。
【手続補正６】
【補正対象書類名】明細書
【補正対象項目名】００２６
【補正方法】変更
【補正の内容】
【００２６】
なお、強調表示手段１０は、テキスト情報２中の符号６が指定されたとき、指定されたテキスト情報２中の符号６とイメージ情報３ｂ、３ｃ中の符号６とを同時に強調表示するようにしてもよい。
符号６を強調表示する手段としては、○で囲む方法に限らず、点滅させたり、他と異なる色で表示したり、反転表示したり、拡大表示する等、視覚に訴えて目立たせることができれば、どのような方法であってもよい。
【手続補正７】
【補正対象書類名】明細書
【補正対象項目名】００２７
【補正方法】変更
【補正の内容】
【００２７】
テキスト情報２中の任意の符号６を指定する方法としては、マウスポインタ１７を符号上に置くだけでも良いし、マウスポインタ１７を符号上に置いてクリックするようにしても良い。
【手続補正８】
【補正対象書類名】明細書
【補正対象項目名】００２８
【補正方法】変更
【補正の内容】
【００２８】
また、編集プログラム７には、編集実行手続１４が設けられている。編集実行手段１４は、図６の如く、予め保存されている電子化文書１の中から１または複数の文書を指定して取込むと共に、各電子化文書１の編集後の出力先を指定すると、所定の編集作業が開始される。すなわち、符号読取手段８が電子化文書１中のイメージ情報から符号情報を取り込んでイメージ情報符号テーブルを作成し、続いて関連付け手段９が符号読取手段８より出力された符号情報とテキスト情報２中の符号６とを、符号が共通なもの同士関連付ける。編集済みの電子化文書１は、予め指定された出力先に保存される。このとき、未編集の電子化文書１があれば、次の電子化文書１に対する編集が自動的に開始される。
【手続補正９】
【補正対象書類名】明細書
【補正対象項目名】００２９
【補正方法】変更
【補正の内容】
【００２９】
編集済みの電子化文書１は、指定した出力先に保存されているので、いつでも出力先から取り出してコンピュータの画面上で見ることができる。
なお、編集プログラム７の符号読取手段８は、ＯＣＲ認識により、イメージ情報３ａ、３ｂ、３ｃ中の符号６とその位置情報を認識するのであるが、イメージ情報３ａ、３ｂ、３ｃ中の符号６が不鮮明であったり、符号６が図面の線に接触している場合など、読み取れなかったり、誤って読み取ってしまうこともあり、常に高精度の編集結果が得られるとは限らない。
【手続補正１０】
【補正対象書類名】明細書
【補正対象項目名】００３３
【補正方法】変更
【補正の内容】
【００３３】
編集プログラム７の閲覧者が「製品紹介」を選択すると、編集プログラム７のトップページを始め、図４、図５に示す表示画面の紹介等、編集プログラム７の概要が紹介される。
【手続補正１１】
【補正対象書類名】明細書
【補正対象項目名】００３４
【補正方法】変更
【補正の内容】
【００３４】
閲覧者が「ダウンロード」を選択すると、編集プログラム７をダウンロードする手順が紹介される。そして、その手順に沿ってダウンロードした編集プログラム７を用いて、一定回数または一定期間、任意の電子化文書１に対する編集を無料で実地体験することができる。一定回数または一定期間、無料で実地体験することによって、購入を希望する者は画面上で売買契約を締結し、所定の料金を払った後、購入キー（暗礁番号）を受け取り、そのキーを使って編集プログラム７を取得することができる。
【手続補正１２】
【補正対象書類名】明細書
【補正対象項目名】００３５
【補正方法】変更
【補正の内容】
【００３５】
なお、本発明では、編集プログラム７の販売に加えて、電子化文書１の編集サービスを提供することもできる。即ち、依頼者より指定された電子化文書１について、符号読取手段８によりイメージ情報符号テーブル１１を作成し、符号読取手段８より出力された符号情報とテキスト情報２中の符号６とを、関連付け手段９により、符号が共通なもの同士関連付ける。そして、関連付け手段９による関連付け結果に基いて、強調表示手段１０により、ブラウザで閲覧可能なＨＴＭＬファイル群１２を作成し、テキスト情報２中のいずれかの符号６が指定されたとき、イメージ情報符号テーブル１１の中から該当符号が存在するイメージ情報を選択して画面上に表示させ、該当符号６が画面上で強調表示されるようにする。更に、手動関連付け手段１６により、符号読取手段８による不完全な読み取り結果を修正し、高精度な編集を行なって依頼者に納入するのである。
【手続補正１３】
【補正対象書類名】明細書
【補正対象項目名】００３６
【補正方法】変更
【補正の内容】
【００３６】
また、本発明では、編集プログラム７の販売に加えて、編集プログラム７を用いて編集された電子化文書１をコンピュータの画面上で販売することも可能である。例えば、多くの編集プログラム７の購入者から編集済みの電子化文書１を譲り受けてデータベース化し、それらを再び商品としてネット販売するのである。
【手続補正１４】
【補正対象書類名】明細書
【補正対象項目名】００３８
【補正方法】変更
【補正の内容】
【００３８】
しかも、一つの電子化文書に対する編集が終了して、編集済み電子化文書が予め指定された出力先に保存されると、自動的に次の電子化文書の編集が開始されるので、多数の電子化文書も迅速に連続編集することができる。
従って、特許情報の編集に限らず、取り扱い説明書、技術文書、研究発表資料、学習テキスト等の編集に利用できる。また、本発明の編集プログラムによれば、手動関連付け手段により、イメージ情報中の符号の不完全な読み取り結果をマニュアル操作により修正し、編集の精度を高めることができる。
【手続補正１５】
【補正対象書類名】明細書
【補正対象項目名】００４０
【補正方法】変更
【補正の内容】
【００４０】
また、編集プログラムの販売に加えて、編集プログラムを用いて電子化文書の編集を行う編集サービスをも提供するようにすれば、ビジネスを多面的に展開できる効果が得られる。
【手続補正１６】
【補正対象書類名】明細書
【補正対象項目名】００４１
【補正方法】変更
【補正の内容】
【００４１】
また、編集プログラムの販売に加えて、編集済み電子化文書の販売も行うようにすれば、電子化文書の付加価値を高めることができる。
【手続補正１７】
【補正対象書類名】図面
【補正対象項目名】図４
【補正方法】変更
【補正の内容】
【図４】
2006031660.tif 000010
【手続補正１８】
【補正対象書類名】図面
【補正対象項目名】図５
【補正方法】変更
【補正の内容】
【図５】
2006031660.tif 000011
【手続補正書】
【提出日】平成17年9月29日(2005.9.29)
【手続補正１】
【補正対象書類名】明細書
【補正対象項目名】００２８
【補正方法】変更
【補正の内容】
【００２８】
また、編集プログラム７には、編集実行手段１４が設けられている。編集実行手段１４は、図６の如く、予め保存されている電子化文書１の中から１または複数の文書を指定して取込むと共に、各電子化文書１の編集後の出力先を指定すると、所定の編集作業が開始される。すなわち、符号読取手段８が電子化文書１中のイメージ情報から符号情報を取り込んでイメージ情報符号テーブルを作成し、続いて関連付け手段９が符号読取手段８より出力された符号情報とテキスト情報２中の符号６とを、符号が共通なもの同士関連付ける。編集済みの電子化文書１は、予め指定された出力先に保存される。このとき、未編集の電子化文書１があれば、次の電子化文書１に対する編集が自動的に開始される。
【手続補正２】
【補正対象書類名】明細書
【補正対象項目名】００３４
【補正方法】変更
【補正の内容】
【００３４】
閲覧者が「ダウンロード」を選択すると、編集プログラム７をダウンロードする手順が紹介される。そして、その手順に沿ってダウンロードした編集プログラム７を用いて、一定回数または一定期間、任意の電子化文書１に対する編集を無料で実地体験することができる。一定回数または一定期間、無料で実地体験することによって、購入を希望する者は画面上で売買契約を締結し、所定の料金を払った後、購入キー（暗証番号）を受け取り、そのキーを使って編集プログラム７を取得することができる。